(57)【要約】【課題】使用する利用者を明確に把握でき、かつ備品の移動を容易に入力できる備品管理支援装置および備品管理支援プログラムを提供する。【解決手段】医療機器を識別するための備品ナンバーである備品識別情報、医療機器を利用する利用者を識別するための利用者識別情報、この利用者が医療機器を使用する所属を示す利用場所情報、および医療機器の現在の場所を示す現備品場所情報と、医療機器を保管する場所を示す保管場所情報とが登録される記憶手段２４と、利用者が入力したログイン情報を利用者識別情報に基づいて認証する認証手段２５ｃと、認証手段２５ｃによって認証された利用者の所属として、例えば「手術室」を移動先とし、現備品場所情報として、例えば保管場所情報が示す「ＭＥ室」を移動元とした移動管理画面を表示すると共に、移動先である「手術室」を新たな現備品場所情報として記憶手段２４に登録する管理制御手段２５ｄとを備えた。【選択図】図２
2009122929.tif 000002
【特許請求の範囲】
【請求項１】
備品を識別するための備品識別情報、前記備品を利用する利用者を識別するための利用者識別情報、前記利用者が備品を使用する場所を示す利用場所情報、および前記備品の現在の場所を示す現備品場所情報とが登録される記憶手段と、
前記利用者が入力したログイン情報を前記利用者識別情報に基づいて認証する認証手段と、
前記認証手段によって認証された利用者の利用場所情報を移動先とし、前記現備品場所情報を移動元とした移動管理画面を表示すると共に、移動先である利用場所情報を新たな現備品場所情報として、移動する備品に対応する備品識別情報に関連付けて、前記記憶手段に登録する管理制御手段とを備えたことを特徴とする備品管理支援装置。
【請求項２】
前記記憶手段には、前記備品を保管する場所を示す保管場所情報が、前記備品識別情報に関連付けられて登録され、
前記管理制御手段は、移動する備品に対応する現備品場所情報が前記保管場所情報と異なるときに、返却である旨のメッセージを移動種別とし、前記認証手段によって認証された利用者の利用場所情報を移動元とし、前記保管場所情報を移動先とした移動管理画面を表示すると共に、前記保管場所情報を新たな現備品場所情報として、移動する備品に対応する備品識別情報に関連付けて、前記記憶手段に登録する請求項１記載の備品管理支援装置。
【請求項３】
前記記憶手段には、前記備品を保管する場所を示す保管場所情報が、前記備品識別情報に関連付けられて登録され、
前記管理制御手段は、移動する備品に対応する現備品場所情報が前記保管場所情報と同じであるときに、貸し出しである旨のメッセージを移動種別とし、前記認証手段によって認証された利用者の利用場所情報を移動先とし、前記保管場所情報を移動元とした移動管理画面を表示すると共に、当該利用場所情報を新たな現備品場所情報として、移動する備品に対応する備品識別情報に関連付けて、前記記憶手段に登録する請求項１記載の備品管理支援装置。
【請求項４】
前記管理制御手段は、前記記憶手段に新たな現備品場所情報を登録するときに、移動する備品を示す備品識別情報と、移動元を示す移動元情報と、移動先を示す移動先情報と、前記認証手段によって認証された利用者の利用者識別情報とを履歴情報として前記記憶手段に蓄積する請求項１から３のいずれかの項に記載の備品管理支援装置。
【請求項５】
コンピュータを、
備品を識別するための備品識別情報、前記備品を利用する利用者を識別するための利用者識別情報、前記利用者が備品を使用する場所を示す利用場所情報、および前記備品の現在の場所を示す現備品場所情報とが登録される記憶手段、
前記利用者が入力したログイン情報を前記利用者識別情報に基づいて認証する認証手段、
前記認証手段によって認証された利用者の利用場所情報を移動先とし、前記現備品場所情報を移動元とした移動管理画面を表示すると共に、移動先である利用場所情報を新たな現備品場所情報として、移動する備品に対応する備品識別情報に関連付けて、前記記憶手段に登録する管理制御手段として機能させることを特徴とする備品管理支援プログラム。
【発明の詳細な説明】
【技術分野】
【０００１】
本発明は、企業や施設内に設置される備品の所在を管理する備品管理支援装置および備品管理支援プログラムである。
【背景技術】
【０００２】
企業や施設には、様々な備品が設置され、活用されている。特に、医療機関では検査装置や治療機器などの各種の医療機器が備品として設置されている。医療機器は、安全を確保しつつ良質な医療が提供できるよう、厳しい維持管理が求められている。従って、毎日の点検の実施の状況や、定期的な保守の実施日、実施者などの履歴を厳重に管理する必要がある。このような医療機器の管理を行うことができる装置が特許文献１に記載されている。
【０００３】
この特許文献１に記載の医療機器の管理システムは、点検者による点検結果入力を受け付け、検査結果情報を記憶する結果ファイルに、点検者を特定するログイン名および点検機器の各点検項目毎の点検結果が書き換え不可状態で記憶されることで、点検結果の信頼性を確保している。このように医療機関に設置される備品である医療機器の管理には、高い信頼性が要求されている。
【０００４】
備品の管理については、保守点検の結果を履歴として残すことだけでなく、例えば、数ある備品の中で特に高価なものや使用頻度の低いものは、企業内または施設内の各部門の個々に備えずに、共通して使用されることが多いので、備品の所在を明確にすることも重要である。これは、利用者がある備品を使用したいと思ったときに、その備品が現在どこの部門にあるのか不明な状態では問題となるからである。
【０００５】
ここで、備品の貸出や返却を管理する従来の備品管理支援装置の操作の一例を、図１３から図１５に示す操作画面を参照しながら説明する。
この従来の備品管理支援装置は、医療機関である病院に設置され、医療機器を管理する部門から医療機器を持ち出す「貸出」と、持ち出した医療機器を管理する部門へ返す「返却」とを管理するものである。
【０００６】
図１３に示す操作選択画面Ｄ１では、備品の貸し出しの手続き行うための「貸出」ボタンＢ１０１と、借りた備品の返却の手続きを行うための「返却」ボタンＢ１０２とが表示されている。この操作画面を表示している表示面にはタッチパネルが設けられている。利用者は、貸し出しの場合には「貸出」ボタンＢ１０１の位置、返却の場合には「返却」ボタンＢ１０２の位置に触れていずれかのボタンを押下する。
【０００７】
貸し出しの場合には、図１４に示す所属選択画面Ｄ２にて医療機器の持ち出し先を入力する。この所属選択画面Ｄ２では、利用者の所属に対応する「所属」ボタン群Ｂ２０１のうちの一つを選択することで、その利用者の所属が持ち出し先となる。
【０００８】
持ち出し先の選択が終了すると貸し出し対象の医療機器名称を、図１５に示す医療機器選択画面Ｄ３にて入力する。医療機器名称は、キーボードから直接入力したり、例えば、医療機器に貼り付けられた医療機器を識別するためのバーコードシールをバーコードリーダで読んだりすることで入力することができる。また、一覧が表示されているので、該当する医療機器の位置をタッチパネルに触れることでも選択することができる。
【０００９】
最後に、図示しない利用者名入力画面にて利用者の名前を入力する。この利用者の名前は、キーボードから直接入力したり、例えば、利用者の名札などに付与された利用者を識別するためのバーコードシールをバーコードリーダで読んだりすることで入力することができる。
【００１０】
このように従来の備品管理支援装置では、貸し出しまたは返却のいずれかの操作を選択し、貸し出しまたは返却をする医療機器名称、貸し出しであれば貸し出し先、および利用者名を入力することで、貸し出しまたは返却の操作が完了する。
【００１１】
【特許文献１】特開２００２−１３２９２５号公報
【発明の開示】
【発明が解決しようとする課題】
【００１２】
しかし、従来の備品管理支援装置では、タッチパネルを使用することで操作が容易であるものの、いくつもの画面を操作する必要があるので、利用者にとっては更なる操作性の向上が望まれている。そして、操作性の向上を図りつつ、現在使用している利用者が誰であるかをしっかりと管理できるものが望まれている。
そこで本発明は、使用する利用者を明確に把握でき、かつ備品の移動を容易に入力できる備品管理支援装置および備品管理支援プログラムを提供することを目的とする。
【課題を解決するための手段】
【００１３】
本発明の備品管理支援装置は、備品を識別するための備品識別情報、前記備品を利用する利用者を識別するための利用者識別情報、前記利用者が備品を使用する場所を示す利用場所情報、および前記備品の現在の場所を示す現備品場所情報とが登録される記憶手段と、前記利用者が入力したログイン情報を前記利用者識別情報に基づいて認証する認証手段と、前記認証手段によって認証された利用者の利用場所情報を移動先とし、前記現備品場所情報を移動元とした移動管理画面を表示すると共に、移動先である利用場所情報を新たな現備品場所情報として、移動する備品に対応する備品識別情報に関連付けて、前記記憶手段に登録する管理制御手段とを備えたことを特徴とする。
【００１４】
また、本発明の備品管理支援プログラムは、コンピュータを、備品を識別するための備品識別情報、前記備品を利用する利用者を識別するための利用者識別情報、前記利用者が備品を使用する場所を示す利用場所情報、および前記備品の現在の場所を示す現備品場所情報とが登録される記憶手段、前記利用者が入力したログイン情報を前記利用者識別情報に基づいて認証する認証手段、前記認証手段によって認証された利用者の利用場所情報を移動先とし、前記現備品場所情報を移動元とした移動管理画面を表示すると共に、移動先である利用場所情報を新たな現備品場所情報として、移動する備品に対応する備品識別情報に関連付けて、前記記憶手段に登録する管理制御手段として機能させることを特徴とする。
【００１５】
備品を利用する利用者は、まず認証手段によって認証を得る。この認証は、利用者が入力したログイン情報と、記憶手段に登録された利用者識別情報とを比較することで行われる。従って、認証手段によって認証された利用者のみに操作を許諾することできるので、使用する利用者を明確にすることができる。管理制御手段は、この利用者が備品を使用する場所を示す利用場所情報を移動先とし、備品の現在の場所を示す現備品場所情報を移動元とした移動管理画面を表示する。従って、利用者は、認証を得るだけで移動先の入力が不要である。そして、移動した備品は利用場所情報が示す場所で使用されるので、管理制御手段は、移動先とした利用場所情報を新たな現備品場所情報として、移動する備品に対応する備品識別情報に関連付けて記憶手段に登録する。そうすることで、次回、同じ備品を他の利用者が移動させるときに、最新の備品のある場所を表示することができる。
【００１６】
ここで、前記記憶手段には、前記備品を保管する場所を示す保管場所情報が、前記備品識別情報に関連付けられて登録され、前記管理制御手段は、移動する備品に対応する現備品場所情報が前記保管場所情報と異なるときに、返却である旨のメッセージを移動種別とし、前記認証手段によって認証された利用者の利用場所情報を移動元とし、前記保管場所情報を移動先とした移動管理画面を表示すると共に、前記保管場所情報を新たな現備品場所情報として、移動する備品に対応する備品識別情報に関連付けて、前記記憶手段に登録することが望ましい。
備品を管理する場所がある場合には、この場所への移動は返却となる。従って、管理制御手段が、移動する備品に対応する現備品場所情報が保管場所情報と異なると判定した場合には、返却である旨のメッセージを移動種別とし、認証手段によって認証された利用者の利用場所情報を移動元とし、保管場所情報を移動先とした移動管理画面を表示することで、利用者は返却である旨の操作をする必要がない。
【００１７】
また、前記記憶手段には、前記備品を保管する場所を示す保管場所情報が、前記備品識別情報に関連付けられて登録され、前記管理制御手段は、移動する備品に対応する現備品場所情報が前記保管場所情報と同じであるときに、貸し出しである旨のメッセージを移動種別とし、前記認証手段によって認証された利用者の利用場所情報を移動先とし、前記保管場所情報を移動元とした移動管理画面を表示すると共に、当該利用場所情報を新たな現備品場所情報として、移動する備品に対応する備品識別情報に関連付けて、前記記憶手段に登録するようにしてもよい。
備品を管理する場所からの移動は貸し出しとなるので、管理制御手段が、移動する備品に対応する現備品場所情報が保管場所情報と同じであると判定した場合には、貸し出しである旨のメッセージを移動種別とし、認証手段によって認証された利用者の利用場所情報を移動先とし、保管場所情報を移動元とした移動管理画面を表示することで、利用者は貸し出しである旨の操作をする必要がない。
【００１８】
更に、前記管理制御手段は、前記記憶手段に新たな現備品場所情報を登録するときに、移動する備品を示す備品識別情報と、移動元を示す移動元情報と、移動先を示す移動先情報と、前記認証手段によって認証された利用者の利用者識別情報とを履歴情報として前記記憶手段に蓄積するのが望ましい。
【００１９】
管理制御手段が記憶手段に履歴情報を蓄積することで、誰がどこからどこへ移動したということの履歴を管理することができるので、備品の使用に対する責任の所在や備品の使用頻度などを明確にすることができる。
【発明の効果】
【００２０】
本発明は、認証が得られた利用者のみ操作を許諾し、利用者が認証を得るだけで移動先の設定が不要であり、かつ次回、同じ備品を他の利用者が移動させるときに、最新の備品のある場所を表示することができるので、使用する利用者を明確に把握でき、かつ備品の移動を容易に入力できる。
【発明を実施するための最良の形態】
【００２１】
本発明の実施の形態に係る備品管理支援システムを、図面に基づいて説明する。図１は、本発明の実施の形態に係る備品管理支援システムの構成を示す図である。
図１に示す本発明の実施の形態に係る備品管理支援システム１は、病院Ｈ１〜Ｈ３に設置される備品である医療機器Ｄを管理するものである。この備品管理支援システム１は、備品の管理として、病院内の備品の移動だけでなく、日々行われる医療機器Ｄの点検や定期的な保守などの管理を行うことができるものである。本実施の形態では医療機器Ｄとして輸液ポンプを例に説明する。
【００２２】
備品管理支援システム１は、データセンターＣに設置された管理サーバ２と、病院Ｈ１〜Ｈ３に設置された病院用コンピュータ３とを備え、それぞれがネットワークの一例であるインターネットＷを介してアクセス可能に接続されている。図１においては、各病院Ｈ１〜Ｈ３に２台ずつ病院用コンピュータ３が設置されているが、例えばＭＥ室や、院長室などに１台のみ設置されていても、各部門に設置されることで３台以上設置されていてもよい。
【００２３】
管理サーバ２は、備品管理支援プログラムが動作することで備品管理支援装置として機能するコンピュータであり、備品管理するための操作画面をページ情報として提供するＡＳＰ（Application Service Provider）機能を有している。
【００２４】
病院用コンピュータ３は、管理サーバ２から送信されるページ情報を、病院用コンピュータ３上で動作させた閲覧ソフト（ブラウザ）により表示することができるパーソナルコンピュータである。病院Ｈ１〜Ｈ３の利用者は、管理サーバ２を指すＵＲＬ（Uniform Resource Locator）を閲覧ソフトに入力してアクセスする。この病院用コンピュータ３には、医療機器Ｄに付与されたラベルを読み取る読取装置が接続されているのが望ましい。詳細には後述するが、読取装置は、医療機器Ｄを識別するための備品ナンバーがバーコードやＱＲコードで表されたラベルであれば、光学的に読み取る機能を有するもの、また、備品ナンバーが電磁誘導により供給された電力で動作するＲＦＩＤ（Radio Frequency Identification）タグなどの非接触情報記録媒体の内部に記憶された情報であれば、無線式に読み取る機能を有するものである。
【００２５】
ここで、管理サーバ２の構成について図２に基づいて詳細に説明する。図２は、図１に示す管理サーバ２の構成を示すブロック図である。
図２に示すように、管理サーバ２は、通信手段２１と、表示手段２２と、入力手段２３と、記憶手段２４と、制御手段２５とを備えている。
【００２６】
通信手段２１は、インターネットＷと接続して通信する機能を備えている。通信手段２１は、高速でインターネットＷと通信可能なＬＡＮとするのが望ましい。
【００２７】
表示手段２２は、ＣＲＴ（Cathode Ray Tube）や、ＬＣＤ（Liquid Crystal Display）などが使用でき、制御手段２５からの表示データを表示する。入力手段２３は、キーボード、マウスとすることができ、入力されたデータは制御手段２５へ出力される。
【００２８】
記憶手段２４は、不揮発性で、かつ高速で読み書きすることができる大容量のハードディスクドライブとすることができる。この記憶手段２４には、利用者に関する情報である利用者関連情報と、医療機器に関する情報である機器関連情報と、メンテナンスに関する保守関連情報と、医療機器の移動に関する情報である移動管理関連情報とが格納されている。また、記憶手段２４には、ＯＳや備品管理支援プログラムの他、その他のアプリケーションソフトが格納されている。
【００２９】
制御手段２５は、管理サーバ２全体を統括制御するものであり、ページ生成手段２５ａと、登録手段２５ｂと、認証手段２５ｃと、管理制御手段２５ｄと、時計手段２５ｅとを備えている。
【００３０】
ページ生成手段２５ａは、備品管理するための操作画面をページ情報として生成する機能を備えている。
登録手段２５ｂは、ページ生成手段２５ａにより生成されたユーザ登録ページに基づいて登録要求のあった利用者に関する各種の情報を、利用者関連情報として記憶手段２４に登録する機能を備えている。また、登録手段２５ｂは、ページ生成手段２５ａにより生成された機器登録ページに基づいて登録要求のあった医療機器に関する各種の情報を機器関連情報として記憶手段２４に登録する機能を備えている。
【００３１】
認証手段２５ｃは、ページ生成手段２５ａにより生成されたログインページにおいて利用者により入力されたユーザＩＤおよびパスワードを、記憶手段２４に登録された利用者関連情報のうち利用者識別情報および暗唱情報に基づいて認証を行う機能を備えている。
【００３２】
管理制御手段２５ｄは、医療機器の移動の管理と、医療機器のメンテナンスの管理と、医療機器の資産管理とを行う機能を備えている。
時計手段２５ｅは、管理制御手段２５ｄからの要求により年月日、時分秒の日時情報を出力する機能を備えている。
【００３３】
以上のように構成された備品管理支援システムの動作を、図面に基づいて説明する。図３は、ログインページの一例を示す図である。図４は、トップページの一例を示す図である。図５は、ユーザ登録ページの一例を示す図である。図６および図７は、機器登録ページの一例を示す図である。図８は、移動選択ページの一例を示す図である。図９は、管理部門用移動ページの一例を示す図であり、貸し出しの場合を示す図である。図１０は、管理部門用移動ページの一例を示す図であり、返却の場合を示す図である。図１１は、部門間移動ページの一例を示す図であり、移動前を示す図である。図１２は、部門間移動ページの一例を示す図であり、移動後を示す図である。
【００３４】
まず、病院Ｈ１〜Ｈ３の管理者が、利用者に関する各種の情報の登録を行う。但し、管理者については、予め利用者関連情報が記憶手段２４に登録されているものとする。
【００３５】
管理者は、まず、病院用コンピュータ３を操作して管理サーバ２にアクセスする。このアクセスにより、図３に示すログインページＰ１がページ生成手段２５ａにより生成され、通信手段２１を介してアクセスした病院用コンピュータ３へ送信される。管理者はユーザＩＤをユーザＩＤ入力欄Ｒ１１へ、パスワードをパスワード入力欄Ｒ１２へそれぞれに入力し、マウスなどを操作してログインボタンＢ１を押下する。
【００３６】
病院用コンピュータ３は、入力されたユーザＩＤをログイン情報とし、パスワードをパスワード情報として管理サーバ２へ送信する。
認証手段２５ｃは、受信したログイン情報とパスワード情報とを、予め記憶手段２４に登録された利用者関連情報のうち利用者識別情報および暗唱情報に基づいて認証を行う。
認証が得られログインすると、図４に示すトップページＰ２がページ生成手段２５ａにより生成され病院用コンピュータ３へ送信される。
【００３７】
次に管理者は、トップページＰ２の上部に設けられたメニューボタン群Ｍの中から「システム管理」ボタンＢ２１を押下することで「システム管理」ボタンＢ２１の下端から表示されるメニュー（図示せず）の中から「ユーザマスタ保守」を選択する。
【００３８】
「ユーザマスタ保守」を選択したことが病院用コンピュータ３から管理サーバ２へ通知されることで、管理サーバ２から図５に示すユーザ登録ページＰ３がページ生成手段２５ａにより生成され、病院用コンピュータ３へ送信される。
【００３９】
ユーザ登録ページＰ３は、利用者に関する各種の情報を登録するための画面である。管理者は、まず３つのラジオボタンで構成される処理区分選択ボタン群Ｂ３１により処理区分を決める。今回は、利用者の新規の登録なので「追加」を選択する。そして、管理者は、ユーザＩＤ入力欄Ｒ３１に利用者識別情報となるユーザＩＤを、名前入力欄Ｒ３２に利用者の氏名を入力する。また、病院識別入力欄Ｒ３３に利用者が属する病院を示す番号および病院名を、所属部門入力欄Ｒ３４にプルダウンメニューの中から選択することでこの利用者の所属を、パスワード入力欄Ｒ３５にパスワードを、そして、その他の入力欄に所定の設定をそれぞれ入力する。図５に示すユーザ登録ページＰ３の例では、「病院Ｈ１」の「手術室」に属する「特許太郎」は、ユーザＩＤを「９９９９９」としている。
【００４０】
管理者は、ユーザ登録ページＰ３の入力が完了すると、病院用コンピュータ３のキーボードのファンクションキー「Ｆ５」に割り当てられた「追加」ボタンを押下することで、ユーザ登録ページＰ３にて入力されたユーザＩＤは利用者識別情報、利用者の氏名は利用者氏名情報、所属は所属情報（利用場所情報）、パスワードは暗唱情報として、その他の入力欄に入力された情報と共に、管理サーバ２へ送信される。管理サーバ２では、登録手段２５ｂによりこれらの情報が記憶手段２４に利用者関連情報として、それぞれが関連付けられて登録される。このようにして、管理者は、全ての利用者の登録を行う。
【００４１】
次に、管理者は、医療機器Ｄ（図１参照）の登録を行う。本実施の形態では、利用者の登録を行ってから医療機器Ｄの登録を行っているが、この順序は逆でもよい。
医療機器Ｄの登録は、管理者が一度ログアウトした場合には、再度ログインし直したときに表示される図４に示すトップページＰ２の「マスタ保守」ボタンＢ２２を押下することで、「マスタ保守」ボタンＢ２２の下端から表示されるメニュー（図示せず）から「備品マスタ保守」を選択することで、機器登録ページへ移行することができる。また図５に示すユーザ登録ページＰ３の上部に表示されている「マスタ保守」ボタンＢ２２を押下することでも、同様に機器登録ページへ移行することができる。
【００４２】
図６に示す機器登録ページＰ４では、購入またはリースした医療機器を管理するために、医療機器に関する各種の情報を登録するための画面である。図６では、医療機器Ｄとして輸液ポンプを登録する例を図示している。
【００４３】
管理者は、まず４つのラジオボタンで構成される処理区分選択ボタン群Ｂ４１により処理区分を決める。今回は、新規に購入した医療機器の登録なので「新規追加」を選択する。そして、管理者は、品名入力欄Ｒ４１に医療機器Ｄの品名を、規格入力欄Ｒ４２に医療機器Ｄの型名を入力する。なお、医療機器を識別するための備品ナンバー欄Ｒ４３は、自動発生された番号が備品ナンバーとして表示されているので入力する必要はない。本実施の形態では、輸液ポンプを識別する番号として備品ナンバー「３８」が割り当てられている。
【００４４】
そして、詳細設定領域Ａ４に設けられた「備品情報１」タブＴ４１には、厚生労働省が割り当てた医療機器の一般的名称を入力する一般名称入力欄Ｒ４４が設けられている。また、「備品情報１」タブＴ４１では、購入日、製造番号、日常点検の要否、購入区分、購入価格、取得価格、現在簿価、償却するまでの耐用年数を示す耐久年数、メーカが規定する耐用年数、などが設定できる。このような情報を設定して管理制御手段２５ｄにより医療機器の資産管理の処理をさせることで、購入した医療機器の簿価を自動的に算出することができる。
【００４５】
また、管理者は、図７に示す詳細設定領域Ａ４として設けられた「備品情報２」タブＴ４２を選択して、この医療機器Ｄを管理する責任部門を管理責任部門入力欄Ｒ４５へ、現在この医療機器Ｄがある場所を示す現設置部門を現設置部門入力欄Ｒ４６へそれぞれ入力する。図７に示す機器登録ページＰ４では、医療機器Ｄを管理する管理責任部門を「ＭＥ室」、現設置部門を「ＭＥ室」としているので、この輸液ポンプは管理するＭＥ室に配置されていることを示している。
【００４６】
「備品情報２」タブＴ４２では、その他の情報として、この医療機器が契約に基づく保守を外部に委託する場合には、保守契約期限、保守契約番号、保守契約書の番号、保守契約金額、委託先の企業名などを登録することができる。また、この医療機器が定期点検を行う場合には、定期点検の期間を登録することできる。定期点検の期間を登録することで、管理サーバ２の管理制御手段２５ｄでは、登録日付を基準として次回点検日を算出すると共に、各医療機器の年間の点検計画書を一覧表として作成することができる。
【００４７】
管理者は、機器登録ページＰ４の入力が完了すると、病院用コンピュータ３のキーボードのファンクションキー「Ｆ５」に割り当てられた「処理実行」ボタンを押下することで、機器登録ページＰ４にて入力された医療機器の品名は品名情報、医療機器の型名は型名情報、備品ナンバーは備品識別情報、責任部門は保管場所情報、現設置部門は現備品場所情報として、その他の入力欄に入力された情報と共に、管理サーバ２へ送信される。管理サーバ２では、登録手段２５ｂによりこれらの情報が記憶手段２４に機器関連情報として、それぞれが関連付けられて登録される。このようにして、管理者は、全ての医療機器の登録を行う。
【００４８】
なお、医療機器Ｄには、少なくとも機器登録ページＰ４で登録した備品ナンバーを記したラベルを付与しておけば、備品ナンバーを覚える必要がなくなるので望ましい。また、ラベルに品名や型名なども記しておくのがより望ましい。備品ナンバーは、文字として表記すると共に、バーコードで示したり、二次元バーコードであるＱＲコードで示したり、ＲＦＩＤタグ内に記憶させたりすることができる。
【００４９】
利用者の登録と医療機器の登録とが完了すれば運用に入ることができる。本実施の形態では、最初に、「手術室」に属する特許太郎が、「ＭＥ室」に管理保管されている医療機器Ｄである輸液ポンプを借り出すことを例に説明する。
【００５０】
病院Ｈ１に属する利用者である特許太郎は、図３に示すログインページＰ１に、ユーザＩＤとパスワードを入力してログインボタンＢ１を押下することで、管理サーバ２の認証手段２５ｃによる認証を得る。
【００５１】
認証が得られることで図４に示すトップページＰ２が管理サーバ２より送信される。トップページＰ２では、「移動」ボタンＢ２３を押下することで、図８に示す移動選択ページＰ５が管理サーバ２から送信され表示される。
【００５２】
移動選択ページＰ５では、「部門間移動処理」ボタンＢ５１と、「管理部門用貸出」ボタンＢ５２との他に、２つのボタンが設けられると共に、この移動選択ページＰ５を終了させる「閉じる」ボタンＢ５３が設けられている。
【００５３】
「部門間移動処理」とは、医療機器Ｄを管理する部門がなく、常にどこかの部門に置かれている状態の病院において、医療機器Ｄを使用するために現配置部門から自部門に移動する場合に使用される。「管理部門用貸出」とは、医療機器Ｄを常に保管管理する部門があるような病院において、医療機器Ｄを使用するために管理部門から自部門に移動（貸し出し）したり、自部門から管理部門へ移動（返却）したりする場合に使用する。本実施の形態では、図７に示す機器登録ページ４において管理責任部門が「ＭＥ室」であることを登録しているので、医療機器Ｄの移動には「管理部門用貸出」を使用するため、移動選択ページＰ５の「部門間移動処理」ボタンＢ５１はグレイアウトして使用ができないようになっている。
【００５４】
従って、利用者は医療機器Ｄの移動を入力する際には「管理部門用貸出」ボタンＢ５２を押下する。「管理部門用貸出」ボタンＢ５２を押下することで、管理部門用移動ページが表示される。
【００５５】
管理部門用移動ページが表示されると、利用者は備品ナンバーを入力する。この入力は、医療機器Ｄに付与されたラベルの備品ナンバーを見て手入力したり、レベルのバーコードまたはＱＲコードを光学的読取装置で読み取ったり、ＲＦＩＤタグからの信号を無線式読取装置で読み取ったりすることができる。
【００５６】
入力された備品ナンバーは病院用コンピュータ３から管理サーバ２へ送信される。管理サーバ２では、管理制御手段２５ｄが記憶手段２４から受信した備品ナンバーに対応する備品識別情報を検索し、この備品識別情報に関連付けられた品名情報、型名情報、現備品場所情報などを読み出す。また、管理制御手段２５ｄは、利用者がログインページＰ１（図３参照）にてログインしたときの利用者識別情報から所属情報（利用場所情報）を読み出す。
【００５７】
次に、管理制御手段２５ｄは、読み出した現備品場所情報と保管場所情報とを比較する。その結果、一致していれば医療機器Ｄは保管場所である管理責任部門にあり、医療機器Ｄの移動は管理責任部門から利用者が所属する場所への貸し出しとなるので、貸し出しである旨のメッセージを管理部門用移動ページ内に表示するためにページ生成手段２５ａに指示する。ページ生成手段２５ａは、これらの情報およびメッセージを含む管理部門用移動ページを通信手段２１を介して病院用コンピュータ３へ送信する。
【００５８】
このようにして病院用コンピュータ３にて表示される管理部門用移動ページを図９に示す。管理部門用移動ページＰ６では、備品ナンバー表示欄Ｒ６１には利用者によって手入力、あるいは読取装置により入力された備品ナンバー「３８」が表示されている。
【００５９】
また、備品セット内容領域Ａ６内には、品名表示欄Ｒ６２に品名情報である「輸液ポンプ」が、規格表示欄Ｒ６３に型名情報である「ＴＰ−２２００」が、そして、現配置部門表示欄Ｒ６４に医療機器Ｄの現在の場所を示す現備品場所情報である「ＭＥ室」が表示されている。また、新配置部門表示欄Ｒ６５に利用者の所属を示す所属情報である「手術室」が表示されている。更に、貸し出しである旨のメッセージＭＳ１を移動種別として上部に他の文字より大きいフォントで表示されている。
【００６０】
この内容で問題がなければ、病院用コンピュータ３のキーボードのファンクションキー「Ｆ５」に割り当てられた「更新」ボタンを押下する。管理サーバ２の管理制御手段２５ｄは、移動先である「手術室」を新たな現備品場所情報として移動する医療機器Ｄに対応する備品識別情報である備品ナンバー「３８」に関連付けて、記憶手段２４に登録する。
【００６１】
また、管理制御手段２５ｄは、備品ナンバー「３８」によって識別される医療機器Ｄが「ＭＥ室」（移動元情報）から「手術室」（移動先情報）へ利用者「特許太郎」によって貸し出したことを、時計手段２５ｅから読み出された日時情報と共に、移動管理関連情報の履歴情報として記憶手段２４に蓄積する。
【００６２】
このように管理部門用移動ページＰ６で示される移動管理画面では、医療機器Ｄを保管する保管場所情報「ＭＥ室」が医療機器Ｄの現在の場所を示す現備品場所情報となるので、この現備品場所情報を移動元とすることで、移動元の入力が不要である。また、認証手段２５ｃによって認証された利用者の利用場所情報「手術室」を移動先としているので、利用者は認証を得るだけで移動先の入力や貸し出しであることの入力が不要である。更に、認証手段２５ｃによって事前に認証された利用者のみに操作を許諾することできるので、セキュリティ性を高めることができると共に、使用する利用者を明確にすることができる。
【００６３】
次に、利用者が「手術室」で使用した医療機器Ｄを管理責任部門である「ＭＥ室」へ返却する場合を示す。なお、利用者が図３に示すログインページＰ１によるログインをした後に、図８に示す移動選択ページＰ５にて「管理部門用貸出」ボタンＢ５２を押下することで管理部門用移動ページが表示され、備品ナンバーを入力するところまでは、貸し出しと同じなので説明は省略する。
【００６４】
医療機器Ｄが「手術室」へ貸し出されているため「ＭＥ室」にはない。従って、貸し出しと異なる点は、現在の場所を示す現備品場所情報と、医療機器Ｄを保管する場所を示す保管場所情報とを比較した結果が不一致となる点である。このような場合には、図１０に示すような管理部門用移動ページＰ６が表示される。
【００６５】
管理部門用移動ページＰ６では、備品セット内容領域Ａ６内の品名表示欄Ｒ６２、規格表示欄Ｒ６３など医療機器Ｄに関する情報は、図９に示す貸し出しの際の管理部門用移動ページＰ６と同じである。しかし、現配置部門表示欄Ｒ６４には、医療機器Ｄの現在の場所を示す現備品場所情報として利用者の所属情報である「手術室」が表示され、新配置部門表示欄Ｒ６５には医療機器Ｄを保管する場所を示す保管場所情報である「ＭＥ室」が表示されている。更に、返却である旨のメッセージＭＳ２を移動種別として上部に他の文字より大きいフォントで表示されている。
【００６６】
つまり、医療機器Ｄの現在の場所を示す現備品場所情報と医療機器Ｄを保管する場所を示す保管場所情報とが一致しない場合には、医療機器Ｄの返却であることがわかる。従って、認証手段２５ｃによって認証された利用者の所属を示す所属情報である「手術室」を移動元とすることで、利用者は認証を得るだけで移動元の入力や返却であることの入力が不要である。また、医療機器Ｄを保管する保管場所情報（ＭＥ室）が医療機器Ｄの移動先となるので、この保管場所情報を移動元とすることで、移動元の入力が不要である。
【００６７】
図１０に示すような管理部門用移動ページＰ６の内容で問題がなければ、病院用コンピュータ３のキーボードのファンクションキー「Ｆ５」に割り当てられた「更新」ボタンを押下する。管理サーバ２の管理制御手段２５ｄは、移動先である「ＭＥ室」を新たな現備品場所情報として、移動する医療機器Ｄに対応する備品識別情報である備品ナンバー「３８」に関連付けて、記憶手段２４に登録する。
【００６８】
また管理制御手段２５ｄは、医療機器Ｄ、移動元、移動先、利用者の氏名など返却に関する情報を、時計手段２５ｅから読み出された日時情報と共に履歴情報として記憶手段２４に蓄積する。
【００６９】
なお、図９および図１０における管理部門用移動ページＰ６での貸し出しや返却について、移動させる理由を履歴情報の一つとして残したい場合には、理由入力ラジオボタンＢ６１の「する」を選択することで、テキストで入力可能なテキスト入力欄（図示せず）が表示される。このテキスト入力欄に医療機器Ｄを移動する理由を入力して保存することで、医療機器Ｄの移動に対する信頼性を高めることができる。
【００７０】
次に、医療機器Ｄを管理する部門がないために、図７に示す機器登録ページ４において管理責任部門に何も設定がされていない場合を説明する。つまり、医療機器Ｄを現配置部門から自部門へ移動させる場合である。本実施の形態では、現在「２階病棟」に置いてある医療機器Ｄを、「手術室」に属する利用者（特許太郎）が使用するために、「手術室」へ移動させる例を説明する。
【００７１】
このような場合には、利用者はログインページＰ１（図３参照）によるログインをした後に、図８に示す移動選択ページＰ５で「部門間移動処理」ボタンＢ５１を押下する。なお、「管理部門用貸出」ボタンＢ５２はグレイアウトして使用できないようになっている。
【００７２】
「部門間移動処理」ボタンＢ５１を押下することで、部門間移動ページが表示される。
部門間移動ページが表示されると、備品ナンバーを、手入力または読取装置で読み取って入力する。
【００７３】
入力された備品ナンバーは病院用コンピュータ３から管理サーバ２へ送信される。管理サーバ２では、管理制御手段２５ｄが記憶手段２４から受信した備品ナンバーに対応する備品識別情報を検索し、この備品識別情報に関連付けられた品名情報、型名情報、現備品場所情報などを読み出す。また、利用者がログインページＰ１（図３参照）にてログインしたときの利用者識別情報から所属情報（利用場所情報）を読み出す。ページ生成手段２５ａは、これらの情報を含む部門間ページを通信手段２１を介して病院用コンピュータ３へ送信する。
【００７４】
このようにして病院用コンピュータ３にて表示される部門間移動ページを図１１に示す。部門間移動ページＰ７では、備品ナンバー表示欄Ｒ７１には利用者によって手入力、あるいは読取装置により入力された備品ナンバー「３８」が表示されている。
【００７５】
もし、備品ナンバーが不明であれば、検索条件領域Ａ７の品名欄Ｒ７２に医療機器Ｄの品名を入力し、検索ボタンＢ７１を押下して調べることも可能である。
本実施の形態では、備品ナンバーは明らかであるので、備品ナンバー表示欄Ｒ７１に備品ナンバー「３８」を入力することで、検索条件領域Ａ７の品名欄Ｒ７２や、規格欄Ｒ７３には管理サーバ２から送信された品名情報および型名情報が自動的に表示される。
【００７６】
そして、移動元表示欄Ｒ７４には、移動元として現備品場所情報である「２階病棟」が表示されている。また、移動先表示欄Ｒ７５には、移動先として認証手段２５ｃによって認証された利用者の利用場所情報「手術室」が表示されている。
【００７７】
この移動元表示欄Ｒ７４の下には移動元に所在する備品を示す移動元備品リストＬ７１が表示され、移動先表示欄Ｒ７５の下には移動先に所在する備品を示す移動先備品リスト７２が表示されている。本実施の形態では、移動元である「２階病棟」には医療機器Ｄである輸液ポンプが１台あり、移動先である「手術室」には医療機器は何もない状態である。
【００７８】
この内容で問題がなければ、病院用コンピュータ３のキーボードのファンクションキー「Ｆ５」に割り当てられた「更新」ボタンを押下する。管理サーバ２の管理制御手段２５ｄは、移動先である「手術室」を新たな現備品場所情報として、移動する医療機器Ｄに対応する備品識別情報である備品ナンバー「３８」に関連付けて、記憶手段２４に登録する。
【００７９】
部門間移動ページＰ７では、医療機器Ｄが「２階病棟」から「手術室」へ移動したことにより、移動元備品リストＬ７１に表示されていた医療機器Ｄである輸液ポンプが、図１２に示すように移動先備品リストＬ７２に移動して表示されることで、利用者に移動の操作が完了したことを容易に把握させることができる。
【００８０】
また、管理制御手段２５ｄは、備品ナンバー「３８」によって識別される医療機器Ｄが「２階病棟」（移動元情報）から「手術室」（移動先情報）へ利用者「特許太郎」によって貸し出したことを、時計手段２５ｅから読み出された日時情報と共に、履歴情報として記憶手段２４に蓄積する。
【００８１】
このように、部門間移動ページＰ７で示される移動管理画面では、医療機器Ｄの現在の場所を示す現備品場所情報「２階病棟」を移動元とすることで、移動元の入力が不要である。また、認証手段２５ｃによって認証された利用者の利用場所情報「手術室」を移動先とすることで、利用者は認証を得るだけで移動先の入力が不要である。また、更に、認証手段２５ｃによって事前に認証された認証された利用者のみに操作を許諾することできるので、セキュリティ性を高めることができると共に、使用する利用者を明確にすることができる。
【００８２】
なお、部門間移動ページＰ７においても、理由入力ラジオボタンＢ７２の「する」を選択することで、テキストで入力可能なテキスト入力欄が表示されるので、このテキスト入力欄に医療機器Ｄを移動する理由を入力して保存することができる。
【００８３】
以上、本発明の実施の形態について説明したが、本発明は前記実施の形態に限定されるものではない。例えば、本実施の形態では、管理サーバ２から備品管理するための操作画面をページ情報として送信し、病院用コンピュータ３は閲覧ソフトによりこのページ情報を表示することで、遠隔にある病院用コンピュータ３での操作を可能としているが、管理制御手段からの移動管理画面が表示可能なソフトが病院用コンピュータ上で動作していればよいので、操作画面がウェブ形式でなくてもよい。
また、本実施の形態では、ネットワークを介して複数の病院Ｈ１〜Ｈ３の管理を１台の管理サーバ２で行っているが、それぞれの病院Ｈ１〜Ｈ３に管理サーバ２に相当するコンピュータを設けるようにしてもよい。
【産業上の利用可能性】
【００８４】
本発明は、備品の移動の内容が容易な操作で入力できるので、企業や施設に設置される備品の管理に好適である。特に医療機関に設置される医療機器の管理に最適である。
【図面の簡単な説明】
【００８５】
【図１】本発明の実施の形態に係る備品管理支援システムの構成を示す図である。
【図２】図１に示す管理サーバ２の構成を示すブロック図である。
【図３】ログインページの一例を示す図である。
【図４】トップページの一例を示す図である。
【図５】ユーザ登録ページの一例を示す図である。
【図６】機器登録ページの一例を示す図である。
【図７】機器登録ページの一例を示す図である。
【図８】移動選択ページの一例を示す図である。
【図９】管理部門用移動ページの一例を示す図であり、貸し出しの場合を示す図である。
【図１０】管理部門用移動ページの一例を示す図であり、返却の場合を示す図である。
【図１１】部門間移動ページの一例を示す図であり、移動前を示す図である。
【図１２】部門間移動ページの一例を示す図であり、移動後を示す図である。
【図１３】従来の備品管理支援装置の操作画面の一例を示す図であり、操作選択画面を示す図である。
【図１４】従来の備品管理支援装置の操作画面の一例を示す図であり、移動先選択画面を示す図である。
【図１５】従来の備品管理支援装置の操作画面の一例を示す図であり、医療機器選択画面を示す図である。
【符号の説明】
【００８６】
１  備品管理支援システム
２  管理サーバ
２１  通信手段
２２  表示手段
２３  入力手段
２４  記憶手段
２５  制御手段
２５ａ  ページ生成手段
２５ｂ  登録手段
２５ｃ  認証手段
２５ｄ  管理制御手段
２５ｅ  時計手段
３  病院用コンピュータ
Ｄ  医療機器
【図１】
2009122929.tif 000003
【図２】
2009122929.tif 000004
【図３】
2009122929.tif 000005
【図４】
2009122929.tif 000006
【図５】
2009122929.tif 000007
【図６】
2009122929.tif 000008
【図７】
2009122929.tif 000009
【図８】
2009122929.tif 000010
【図９】
2009122929.tif 000011
【図１０】
2009122929.tif 000012
【図１１】
2009122929.tif 000013
【図１２】
2009122929.tif 000014
【図１３】
2009122929.tif 000015
【図１４】
2009122929.tif 000016
【図１５】
2009122929.tif 000017